【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
少なくとも第１のアクセスユニットと第２のアクセスユニットから構成される入力データのうちの前記第１のアクセスユニットから、１以上の第１の領域を設定する第１の設定手段と、
前記第１の設定手段により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定手段と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段と
を備えることを特徴とするデータ変換装置。
【請求項２】
少なくとも第１のアクセスユニットと第２のアクセスユニットから構成される入力データのうちの少なくとも一部の表現形式を変換するデータ変換装置のデータ変換方法であって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換ステップと
を含むことを特徴とするデータ変換方法。
【請求項３】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換ステップと
を含むプログラムを記録していることを特徴とする記録媒体。
【請求項４】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換ステップと
を含むことを特徴とするプログラム。
【請求項５】
少なくとも第１のアクセスユニットと第２のアクセスユニットから構成される入力データが元データとされて、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力されるデータ逆変換装置であって、
前記入力データから、１以上の前記第２の処理領域のそれぞれと、それぞれに対応づけられた前記基底のそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換手段と、
前記逆変換手段により生成された１以上の前記差分領域のそれぞれに対応する１以上の前記第２の領域のそれぞれを、前記第２のアクセスユニットから抽出する抽出手段と、
前記逆変換手段により生成された１以上の前記差分領域のそれぞれと、前記抽出手段により抽出された１以上の前記第２の領域のうちの対応する１つとを加算することで、前記第１のアクセスユニットから設定された１以上の前記第１の領域のそれぞれを生成する加算手段と
を備えることを特徴とするデータ逆変換装置。
【請求項６】
少なくとも第１のアクセスユニットと第２のアクセスユニットから構成される入力データが元データとされて、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力されるデータ逆変換装置のデータ逆変換方法であって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記逆変換ステップの処理により生成された１以上の前記差分領域のそれぞれに対応する１以上の前記第２の領域のそれぞれを、前記第２のアクセスユニットから抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むことを特徴とするデータ逆変換方法。
【請求項７】
少なくとも第１のアクセスユニットと第２のアクセスユニットから構成される入力データが元データとされて、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記逆変換ステップの処理により生成された１以上の前記差分領域のそれぞれに対応する１以上の前記第２の領域のそれぞれを、前記第２のアクセスユニットから抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むプログラムを記録していることを特徴とする記録媒体。
【請求項８】
少なくとも第１のアクセスユニットと第２のアクセスユニットから構成される入力データが元データとされて、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記逆変換ステップの処理により生成された１以上の前記差分領域のそれぞれに対応する１以上の前記第２の領域のそれぞれを、前記第２のアクセスユニットから抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むプログラムを記録していることを特徴とするプログラム。
【請求項９】
少なくとも第１のアクセスユニットと第２のアクセスユニットから構成される入力データのうちの前記第１のアクセスユニットから、１以上の第１の領域を設定する第１の設定手段と、
前記第１の設定手段により設定された１以上の前記第１の領域のそれぞれを処理対象に１つずつ順次設定し、処理対象の前記第１の領域についての、前記第２のアクセスユニットに対する動きベクトルを推定する動きベクトル推定手段と、
前記第１の設定手段により設定された１以上の前記第１の領域のそれぞれを処理対象に１つずつ順次設定し、前記第２のアクセスユニットにおける、処理対象の前記第１の領域の位置から、前記動きベクトル推定手段により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定手段と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段と
を備えることを特徴とするデータ変換装置。
【請求項１０】
前記入力データに対してアナログ歪みを生じさせるアナログ歪み生成手段
をさらに備えることを特徴とする請求項９に記載のデータ変換装置。
【請求項１１】
前記分析手段は、処理対象の前記処理領域について、設定された前記分析領域を複数の分析データに分割し、複数の前記分析データを対象とする主成分分析を行うことで、処理対象の前記処理領域を構成する複数の前記処理データの表現形式を変換するための前記基底を生成する
ことを特徴とする請求項９に記載のデータ変換装置。
【請求項１２】
前記変換手段により表現形式が変換された複数の前記処理データから構成される１以上の前記処理領域のそれぞれを処理対象に１つずつ順次設定し、処理対象の前記処理領域に対して、前記動きベクトル推定手段により推定された前記動きベクトルのうちの、処理対象の前記処理領域に対応する前記第１の領域についての前記動きベクトルを対応付けて重畳し、その結果得られるデータを出力する出力手段
をさらに備えることを特徴とする請求項９に記載のデータ変換装置。
【請求項１３】
少なくとも第１のアクセスユニットと第２のアクセスユニットから構成される入力データのうちの少なくとも一部の表現形式を変換するデータ変換装置のデータ変換方法であって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域についての、前記第２のアクセスユニットに対する動きベクトルを推定する動きベクトル推定ステップと、
前記第１の設定ステップの処理により設定された１以上の前記第１の領域のそれぞれを処理対象に１つずつ順次設定し、前記第２のアクセスユニットにおける、処理対象の前記第１の領域の位置から、前記動きベクトル推定ステップの処理により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析ステップの処理により生成された前記基底を利用して、処理対象の前記処理領域を構成する複数の前記処理データのそれぞれの表現形式を変換する変換ステップと
を含むことを特徴とするデータ変換方法。
【請求項１４】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域についての、前記第２のアクセスユニットに対する動きベクトルを推定する動きベクトル推定ステップと、
前記第１の設定ステップの処理により設定された１以上の前記第１の領域のそれぞれを処理対象に１つずつ順次設定し、前記第２のアクセスユニットにおける、処理対象の前記第１の領域の位置から、前記動きベクトル推定ステップの処理により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析ステップの処理により生成された前記基底を利用して、処理対象の前記処理領域を構成する複数の前記処理データのそれぞれの表現形式を変換する変換ステップと
を含むプログラムを記録していることを特徴とする記録媒体。
【請求項１５】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域についての、前記第２のアクセスユニットに対する動きベクトルを推定する動きベクトル推定ステップと、
前記第１の設定ステップの処理により設定された１以上の前記第１の領域のそれぞれを処理対象に１つずつ順次設定し、前記第２のアクセスユニットにおける、処理対象の前記第１の領域の位置から、前記動きベクトル推定ステップの処理により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析ステップの処理により生成された前記基底を利用して、処理対象の前記処理領域を構成する複数の前記処理データのそれぞれの表現形式を変換する変換ステップと
を含むことを特徴とするプログラム。
【請求項１６】
少なくとも第１のアクセスユニットと第２のアクセスユニットから構成されるデータが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として入力されるデータ逆変換装置であって、
前記入力データから、１以上の前記第２の処理領域のそれぞれと、それぞれに対応づけられた前記基底のそれぞれと前記動きベクトルのそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換手段と、
前記分離手段により前記入力データから分離された１以上の前記第２の処理領域のそれぞれを処理対象に１つずつ順次設定し、前記第２のアクセスユニットにおける、処理対象の前記第２の処理領域の位置から、前記分離手段により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出手段と、
前記逆変換手段により生成された１以上の前記差分領域のそれぞれと、前記抽出手段により抽出された１以上の前記第２の領域のうちの対応する１つとを加算することで、前記第１のアクセスユニットから設定された１以上の前記第１の領域のそれぞれを生成する加算手段と
を備えることを特徴とするデータ逆変換装置。
【請求項１７】
前記元データにはアナログ歪みが生じている
ことを特徴とする請求項１６に記載のデータ逆変換装置。
【請求項１８】
少なくとも第１のアクセスユニットと第２のアクセスユニットから構成されるデータが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として入力されるデータ逆変換装置のデータ逆変換方法であって、
前記入力データから、１以上の前記第２の処理領域のそれぞれと、それぞれに対応づけられた前記基底のそれぞれと、それぞれに対応する前記動きベクトルのそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記分離ステップの処理により前記入力データから分離された１以上の前記第２の処理領域のそれぞれを処理対象に１つずつ順次設定し、前記第２のアクセスユニットにおける、処理対象の前記第２の処理領域の位置から、前記分離ステップの処理により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むことを特徴とするデータ逆変換方法。
【請求項１９】
少なくとも第１のアクセスユニットと第２のアクセスユニットから構成されるデータが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれと、それぞれに対応する前記動きベクトルのそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記分離ステップの処理により前記入力データから分離された１以上の前記第２の処理領域のそれぞれを処理対象に１つずつ順次設定し、前記第２のアクセスユニットにおける、処理対象の前記第２の処理領域の位置から、前記分離ステップの処理により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むプログラムを記録していることを特徴とする記録媒体。
【請求項２０】
少なくとも第１のアクセスユニットと第２のアクセスユニットから構成されるデータが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれと、それぞれに対応する前記動きベクトルのそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記分離ステップの処理により前記入力データから分離された１以上の前記第２の処理領域のそれぞれを処理対象に１つずつ順次設定し、前記第２のアクセスユニットにおける、処理対象の前記第２の処理領域の位置から、前記分離ステップの処理により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むことを特徴とするプログラム。
【請求項２１】
画像データの表現形式を変換する変換部と、前記画像データの、前記変換部により変換された表現形式を逆変換する逆変換部とを構成要素として含む情報処理システムにおいて、
前記変換部は、
少なくとも第１のアクセスユニットと第２のアクセスユニットから構成される画像データが入力データとして入力され、
前記第１のアクセスユニットから、１以上の第１の領域を設定する第１の設定手段と、
前記第１の設定手段により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定手段と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段と
を有する
ことを特徴とする情報処理システム。
【請求項２２】
画像データの表現形式を変換する変換部と、前記画像データの、前記変換部により変換された表現形式を逆変換する逆変換部とを構成要素として含む情報処理システムにおいて、
前記変換部は、
少なくとも第１のアクセスユニットと第２のアクセスユニットから構成される画像データが入力データとして入力され、前記第１のアクセスユニットから、１以上の第１の領域を設定する第１の設定手段と、
前記第１の設定手段により設定された１以上の前記第１の領域のそれぞれを処理対象に１つずつ順次設定し、処理対象の前記第１の領域についての、前記第２のアクセスユニットに対する動きベクトルを推定する動きベクトル推定手段と、
前記第１の設定手段により設定された１以上の前記第１の領域のそれぞれを処理対象に１つずつ順次設定し、前記第２のアクセスユニットにおける、処理対象の前記第１の領域の位置から、前記動きベクトル推定手段により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定手段と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段と
を有する
ことを特徴とする情報処理システム。
【請求項２３】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
少なくとも第１のアクセスユニットと第２のアクセスユニットから構成される画像データが元データとされ、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として前記逆変換部に入力され、
前記逆変換部は、
前記入力データから、１以上の前記第２の処理領域のそれぞれと、それぞれに対応づけられた前記基底のそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換手段と、
前記逆変換手段により生成された１以上の前記差分領域のそれぞれに対応する１以上の前記第２の領域のそれぞれを、前記第２のアクセスユニットから抽出する抽出手段と、
前記逆変換手段により生成された１以上の前記差分領域のそれぞれと、前記抽出手段により抽出された１以上の前記第２の領域のうちの対応する１つとを加算することで、前記第１のアクセスユニットから設定された１以上の前記第１の領域のそれぞれを生成する加算手段と
を有する
ことを特徴とする情報処理システム。
【請求項２４】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
少なくとも第１のアクセスユニットと第２のアクセスユニットから構成される画像データが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として前記逆変換部に入力され、
前記逆変換部は、
前記入力データから、１以上の前記第２の処理領域のそれぞれと、それぞれに対応づけられた前記基底のそれぞれと前記動きベクトルのそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換手段と、
前記分離手段により前記入力データから分離された１以上の前記第２の処理領域のそれぞれを処理対象に１つずつ順次設定し、前記第２のアクセスユニットにおける、処理対象の前記第２の処理領域の位置から、前記分離手段により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出手段と、
前記逆変換手段により生成された１以上の前記差分領域のそれぞれと、前記抽出手段により抽出された１以上の前記第２の領域のうちの対応する１つとを加算することで、前記第１のアクセスユニットから設定された１以上の前記第１の領域のそれぞれを生成する加算手段と
を有する
ことを特徴とする情報処理システム。
【手続補正２】
【補正対象書類名】明細書
【補正対象項目名】発明の名称
【補正方法】変更
【補正の内容】
【発明の名称】データ変換装置および方法、データ逆変換装置および方法、情報処理システム、記録媒体、並びにプログラム
【手続補正３】
【補正対象書類名】明細書
【補正対象項目名】００３２
【補正方法】削除
【補正の内容】
【手続補正４】
【補正対象書類名】明細書
【補正対象項目名】００３３
【補正方法】削除
【補正の内容】
【手続補正５】
【補正対象書類名】明細書
【補正対象項目名】００３４
【補正方法】削除
【補正の内容】
【手続補正６】
【補正対象書類名】明細書
【補正対象項目名】００４１
【補正方法】削除
【補正の内容】
【手続補正７】
【補正対象書類名】明細書
【補正対象項目名】００４６
【補正方法】削除
【補正の内容】
【手続補正８】
【補正対象書類名】明細書
【補正対象項目名】００４７
【補正方法】削除
【補正の内容】
【手続補正９】
【補正対象書類名】明細書
【補正対象項目名】００４８
【補正方法】削除
【補正の内容】
【手続補正１０】
【補正対象書類名】明細書
【補正対象項目名】００５１
【補正方法】削除
【補正の内容】
【手続補正１１】
【補正対象書類名】明細書
【補正対象項目名】００５２
【補正方法】削除
【補正の内容】
【手続補正１２】
【補正対象書類名】明細書
【補正対象項目名】００５３
【補正方法】削除
【補正の内容】
【手続補正１３】
【補正対象書類名】明細書
【補正対象項目名】００５６
【補正方法】削除
【補正の内容】
【手続補正１４】
【補正対象書類名】明細書
【補正対象項目名】００５７
【補正方法】削除
【補正の内容】
【手続補正１５】
【補正対象書類名】明細書
【補正対象項目名】００５８
【補正方法】削除
【補正の内容】
【手続補正１６】
【補正対象書類名】明細書
【補正対象項目名】００６１
【補正方法】削除
【補正の内容】
【手続補正１７】
【補正対象書類名】明細書
【補正対象項目名】００６２
【補正方法】削除
【補正の内容】
【手続補正１８】
【補正対象書類名】明細書
【補正対象項目名】００６３
【補正方法】削除
【補正の内容】